(57)【要約】【課題】モノクロモード時に転写ベルトと像担持体とを離間させる離間機構の簡素化を図ることができる転写ユニットを提供すること。【解決手段】無端状の中間転写ベルト７と、複数の感光ドラム（像担持体）２ａ〜２ｄと、中間転写ベルト７を介して各感光ドラム２ａ〜２ｄに当接する複数の転写ローラ５ａ〜５ｄを備え、感光ドラム２ａ〜２ｄに形成された各色のトナー像を中間転写ベルト７に転写するカラーモードと、感光ドラム２ｄに形成されたモノクロトナー像を中間転写ベルト７に転写するモノクロモードを選択可能であって、モノクロモード時にはモノクロ用以外のカラー感光ドラム２ａ〜２ｃから中間転写ベルト７と転写ローラ５ａ〜５ｃを離間させるようにした転写ユニットにおいて、モノクロモード時の中間転写ベルト７と転写ローラ５ａ〜５ｃの感光ドラム２ａ〜２ｃからの離間をドラムユニットからの動作によって行う。【選択図】図２
2008249925.tif 000002
【特許請求の範囲】
【請求項１】
少なくとも駆動ローラとテンションローラ及び固定ローラの間に張架された無端状の転写ベルトと、モノクロ用を含む複数の像担持体と、前記転写ベルトを介して前記各像担持体に当接する複数の転写ローラを備え、複数の像担持体に形成された各色のトナー像を前記転写ベルトに転写するカラーモードと、モノクロ用像担持体に形成されたモノクロトナー像を前記転写ベルトに転写するモノクロモードを選択可能であって、モノクロモード時にはモノクロ用以外の複数のカラー用像担持体から前記転写ベルトと前記転写ローラを離間させるようにした転写ユニットにおいて、
モノクロモード時の転写ベルトと転写ローラのカラー用像担持体からの離間を像担持体を保持するドラムユニットからの動作によって行うようにしたことを特徴とする転写ユニット。
【請求項２】
前記カラー用像担持体に当接する転写ローラをモノクロモード時に押圧部材で押圧してカラー用像担持体から離間させるとともに、前記転写ベルトが巻き掛けられた可動ローラを移動させることを特徴とする請求項１記載の転写ユニット。
【請求項３】
モノクロモード時の転写ベルトの形状を駆動ローラ、テンションローラ、２つの固定ローラ及び可動ローラによって決定することを特徴とする請求項２記載の転写ユニット。
【請求項４】
モノクロモード時に前記押圧部材が前記転写ローラを前記転写ベルトと共に押圧してこれらを前記カラー用像担持体から離間させることを特徴とする請求項２記載の転写ユニット。
【請求項５】
モノクロモード時に前記押圧部材がプーリ又は低摩擦部材を介して前記転写ローラ又は前記転写ベルトを押圧することを特徴とする請求項２〜４の何れかに記載の転写ユニット。
【請求項６】
モノクロモード時の転写ベルトの形状を駆動ローラ、テンションローラ、３つの固定ローラ及び前記押圧部材によって決定することを特徴とする請求項４又は５記載の転写ユニット。
【請求項７】
請求項１〜６の何れかに記載の転写ユニットを備えたことを特徴とする画像形成装置。
【発明の詳細な説明】
【技術分野】
【０００１】
本発明は、複数の像担持体に形成された各色のトナー像を転写ベルトに転写するための転写ユニットとこれを備えた画像形成装置に関するものである。
【背景技術】
【０００２】
近年、電子写真方式によって画像を形成する複写機やプリンタ等の画像形成装置に対するカラー化の要求が高く、この要求に応えてカラー画像形成装置が開発され、既に実用に供されている。この種のカラー画像形成装置にはモノクロ並みの出力スピードが要求されることからタンデム型のカラー画像形成装置が注目されている。
【０００３】
タンデム型のカラー画像形成装置においては、少なくとも駆動ローラ、テンションローラ、従動ローラ及び二次転写ローラの間に張架された無端状の中間転写ベルトと、モノクロ用のブラック像担持体とイエロー、マゼンタ、シアンの３つのカラー像担持体を備え、各像担持体に形成された各色のトナー像を前記中間転写ベルトに転写する方式が採用されている。
【０００４】
ところで、カラー画像形成装置においては、カラー画像を出力するカラーモードと、ブラック単色のモノクロ画像を出力するモノクロモードを選択可能であって、モノクロモードを選択してモノクロ画像を出力するときにも画像形成に供されないイエロー、マゼンタ、シアンのカラー像担持体を動作させると、これらのカラー像担持体が中間転写ベルトに接触し、カラー像担持体や中間転写ベルトが摩耗してこれらの寿命が短くなるという問題が発生する。
【０００５】
そこで、モノクロモードを選択してモノクロ画像を出力する場合には、ブラック像担持体以外のイエロー、マゼンタ、シアンのカラー像担持体から転写ローラと中間転写ベルトを離間させるようにしたカラー画像形成装置が提案されている。このようなカラー画像形成装置では、ブラック像担持体に対する中間転写ベルトの軌道がカラーモードとモノクロモードとで異なるため、ブラック像担持体とこれに当接する転写ローラ間の転写ニップや中間転写ベルトのテンションがカラーモードとモノクロモードとで変化し、モノクロモードでの転写効率が悪化したり、中間転写ベルトの撓みや振動等が発生し易い。
【０００６】
そこで、特許文献１には、カラー用転写ローラの接離機構を、転写ローラのニップを安定させるためのバックアップローラの軸を回転軸として回動させる提案がなされている。
【特許文献１】特開２００５−０６２６４２号公報
【発明の開示】
【発明が解決しようとする課題】
【０００７】
しかしながら、特許文献１において提案された構成では、モノクロモード時に転写ローラと中間転写ベルトをカラー像担持体から離間させる離間機構がバックアップローラ、該バックアップローラを保持するリンク部材、該リンク部材を揺動させるカム機構等で構成されているため、該機構が複雑化するという問題があった。
【０００８】
従って、本発明の目的とする処は、モノクロモード時に転写ベルトと像担持体とを離間させる離間機構の簡素化を図ることができる転写ユニット及びこれを備えた画像形成装置を提供することにある。
【０００９】
又、特許文献１に開示された構成では、モノクロモード時に転写ローラと中間転写ベルトをカラー像担持体から離間させる際の中間転写ベルトの形状変化が大きく、テンションローラの負荷が大きいという問題がある。更に、カラー像担持体から中間転写ベルトを離間させる際に該中間転写ベルトを保持する部材が少なくなるため、モノクロモード時の中間転写ベルトの安定した搬送が難しく、中間転写ベルトとカラー像担持体との接触を防ぐためには両者間に大きな離間距離を確保する必要があるという問題もある。
【００１０】
従って、本発明の他の目的とする処は、カラーモード時とモノクロモード時における転写ベルトの形状変化を小さく抑えてテンションローラの負荷を軽減するとともに、モノクロモード時の転写ベルトと像担持体との離間を確実に行うことができる転写ユニット及びこれを備えた画像形成装置を提供することにある。
【課題を解決するための手段】
【００１１】
上記目的を達成するため、請求項１記載の発明は、少なくとも駆動ローラとテンションローラ及び固定ローラの間に張架された無端状の転写ベルトと、モノクロ用を含む複数の像担持体と、前記転写ベルトを介して前記各像担持体に当接する複数の転写ローラを備え、複数の像担持体に形成された各色のトナー像を前記転写ベルトに転写するカラーモードと、モノクロ用像担持体に形成されたモノクロトナー像を前記転写ベルトに転写するモノクロモードを選択可能であって、モノクロモード時にはモノクロ用以外の複数のカラー用像担持体から前記転写ベルトと前記転写ローラを離間させるようにした転写ユニットにおいて、モノクロモード時の転写ベルトと転写ローラのカラー用像担持体からの離間を像担持体を保持するドラムユニットからの動作によって行うようにしたことを特徴とする。
【００１２】
請求項２記載の発明は、請求項１記載の発明において、前記カラー用像担持体に当接する転写ローラをモノクロモード時に押圧部材で押圧してカラー用像担持体から離間させるとともに、前記転写ベルトが巻き掛けられた可動ローラを移動させることを特徴とする。
【００１３】
請求項３記載の発明は、請求項２記載の発明において、モノクロモード時の転写ベルトの形状を駆動ローラ、テンションローラ、２つの固定ローラ及び可動ローラによって決定することを特徴とする。
【００１４】
請求項４記載の発明は、請求項２記載の発明において、モノクロモード時に前記押圧部材が前記転写ローラを前記転写ベルトと共に押圧してこれらを前記カラー用像担持体から離間させることを特徴とする。
【００１５】
請求項５記載の発明は、請求項２〜４の何れかに記載の発明において、モノクロモード時に前記押圧部材がプーリ又は低摩擦部材を介して前記転写ローラ又は前記転写ベルトを押圧することを特徴とする。
【００１６】
請求項６記載の発明は、請求項４又は５記載の発明において、モノクロモード時の転写ベルトの形状を駆動ローラ、テンションローラ、３つの固定ローラ及び前記押圧部材によって決定することを特徴とする。
【００１７】
請求項７記載の発明は、画像形成装置に請求項１〜６の何れかに記載の転写ユニットを備えたことを特徴とする。
【発明の効果】
【００１８】
本発明によれば、モノクロモード時に動作して転写ローラと転写ベルトをカラー用像担持体から離間させる押圧部材で離間機構を構成し、この離間機構をドラムユニット側に設けたため、該離間機構と転写ユニットが簡素化される。
【００１９】
又、転写ベルトの形状は、駆動ローラ、固定ローラ、可動ローラ、テンションローラ或いは複数の押圧部材によって決定されるため、カラーモード時とモノクロモード時における該転写ベルトの形状変化が小さく抑えられ、テンションローラの負荷が軽減されるとともに、モノクロモード時の転写ベルトとカラー用像担持体との離間が確実になされる。
【発明を実施するための最良の形態】
【００２０】
以下に本発明の実施の形態を添付図面に基づいて説明する。
【００２１】
＜実施の形態１＞
図１及び図２は本発明の実施の形態１に係る転写ユニットを備えた画像形成装置要部の断面図、図３は図２の部分拡大詳細図であり、図１はカラーモード時の状態を、図２はモノクロモード時の状態をそれぞれ示す。
【００２２】
本実施の形態に係る画像形成装置は、カラー画像とモノクロ画像を出力可能であって、その本体の内部にはイエロー画像形成ユニット１Ｙ、マゼンタ画像形成ユニット１Ｍ、シアン画像形成ユニット１Ｃ及びブラック画像形成ユニット１Ｂｋが一定の間隔でタンデムに配置されている。
【００２３】
上記各画像形成ユニット１Ｙ，１Ｍ，１Ｃ，１Ｂｋには、像担持体としての感光ドラム２ａ，２ｂ，２ｃ，２ｄと、その周囲に配された一次帯電器３ａ，３ｂ，３ｃ，３ｄ、現像装置４ａ，４ｂ，４ｃ，４ｄ、一次帯電手段としての転写ローラ５ａ，５ｂ，５ｃ，５ｄ、ドラムクリーニング装置６ａ，６ｂ，６ｃ，６ｄがそれぞれ設けられている。
【００２４】
ここで、前記感光ドラム２ａ〜２ｄは、ドラム状の感光体であって、不図示の駆動装置によって図示矢印方向（反時計方向）に所定のプロセススピードで回転駆動される。又、前記一次帯電器３ａ〜３ｄは、不図示の帯電バイアス電源から印加される帯電バイアスによって感光ドラム２ａ〜２ｄの表面を所定の電位に一様に帯電させるものである。
【００２５】
前記現像装置４ａ〜４ｄは、イエロー（Ｙ）トナー、マゼンタ（Ｍ）トナー、シアン（Ｃ）トナー、ブラック（Ｂｋ）トナーをそれぞれ収容しており、各感光ドラム２ａ〜２ｄ上に形成された各静電潜像を各色のトナーを付着させて各静電潜像を現像して各色のトナー像として可視像化するものである。
【００２６】
一次帯電手段としての前記転写ローラ５ａ〜５ｄは、各一次転写部にて無端状の中間転写ベルト７を介して各感光ドラム２ａ〜２ｄに当接可能に配置されている。ここで、転写ローラ５ａ〜５ｄや中間転写ベルト７は本発明に係る転写ユニットを構成しており、中間転写ベルト７は、駆動ローラ８、固定ローラ９、可動ローラ１０、テンションローラ１１及び固定ローラ（二次転写対向ローラ）１２の間に張架されて各感光ドラム２ａ〜２ｄの下面側に走行可能に配置されており、前記各転写ローラ５ａ〜５ｄは、中間転写ベルト７の内側に配され、中間転写ベルト７を介して各感光ドラム２ａ〜２ｄにそれぞれ所定の圧力で押圧されている。又、前記固定ローラ１２は、二次転写部において中間転写ベルト７を介して二次転写ローラ１３に当接されている。尚、中間転写ベルト７の材質としては、ポリカーボネイト、ポリエチレンテレフタレート（ＰＥＴ）、ポリフッ化ビニリデン（ＰＶＤＦ）等の誘導体樹脂が選定される。
【００２７】
ところで、転写ローラ５ａ〜５ｄは、軸受１４によって回転可能に支持されており、バネ１５によって感光ドラム２ａ〜２ｄ側に付勢されている。そして、図１に示すカラーモード時においては、全ての転写ローラ５ａ〜５ｄは中間転写ベルト７を介して各感光ドラム２a〜２ｄに所定の圧力で押圧されている。又、テンションローラ１１は、バネ１６によって中間転写ベルト７に押し当てられて該中間転写ベルト７に所定のテンションを付与している。
【００２８】
尚、転写ユニットの二次転写部の下流側にはベルトクリーニング装置１７が設けられている。
【００２９】
而して、本実施の形態では、感光ドラム２a〜２ｄを保持するドラムユニットに離間用の複数の押圧部材１８が設けられている。これらの押圧部材１８は、ブラック感光ドラム２ｄを除くカラー感光ドラム２ａ〜２ｃに対応してそれぞれ上下動可能に設けられ、後述のように図２に示すモノクロモード時には下動して各転写ローラ５ａ〜５ｃの軸受１４を押圧して転写ローラ５ａ〜５ｃと中間転写ベルト７をカラー感光ドラム２ａ〜２ｃから離間させる。
【００３０】
他方、画像形成装置本体内の前記転写ユニットの下方であって、二次転写部の下流側（図１の左側）には搬送ベルト１９が配置され、更にその下流側には定着装置２０が設けられている。
【００３１】
上記定着装置２０は、加熱ローラ２１と、該加熱ローラ２１と対向配置された定着ローラ２２と、これらの加熱ローラ２１と定着ローラ２２間に張設された無端状の定着ベルト２３と、この定着ベルト２３を間に挟んで定着ローラ２２に押圧された加圧ローラ２４を備えている。
【００３２】
他方、画像形成装置本体内の底部には、複数枚の用紙を積層収容した不図示の給紙カセットが着脱可能に設置されている。又、画像形成装置本体内には、前記給紙カセットから延びて二次転写部側に向かう搬送パスＬ１が設けられており、この搬送パスＬ１の途中には複数の給紙ローラ２５が設けられている。そして、搬送パスＬ１の二次転写部に近い部位にはレジストローラ２６が配置されている。
【００３３】
又、前記定着装置２０からは搬送パスＬ２が装置本体外の不図示の排紙トレイへ延びており、その途中には搬送ローラ２７と排紙ローラ２８が設けられている。
【００３４】
次に、以上の構成を有する画像形成装置による画像形成動作について説明する。
【００３５】
本実施の形態に係る画像形成装置は、カラー画像を出力するカラーモードとモノクロ画像を出力するモノクロモードを選択可能であって、カラーモードが選択された場合には、図１に示すように、全ての転写ローラ５ａ〜５ｄが中間転写ベルト７を介して各感光ドラム２ａ〜２ｄに押圧されている。
【００３６】
上記状態において画像開始信号が発せられると、各画像形成ユニット１Ｙ，１Ｍ，１Ｃ，１Ｂｋにおいて各感光ドラム２ａ〜２ｄが図１の矢印方向（反時計方向）に所定のプロセススピードで回転駆動され、これらの感光ドラム２ａ〜２ｄは、一次帯電器３ａ〜３ｄによって一様に帯電される。そして、各色毎のカラー画像信号によって変調されたレーザ光が例えば不図示のレーザスキャナユニットから各感光ドラム２ａ〜２ｄに照射されると、各感光ドラム２ａ〜２ｄ上に各カラー画像信号に対応した静電潜像がそれぞれ形成される。
【００３７】
すると、先ず、イエロー画像形成ユニット１Ｙの感光ドラム２ａ上に形成された静電潜像が現像装置４ａによって現像されてイエロートナー像として可視化される。そして、このイエロートナー像は、該感光ドラム２ａと転写ローラ５ａとの間の一次転写部において転写ローラ５ａの作用によって、図１の矢印方向（反時計方向）に回転している中間転写ベルト７上に一次転写される。
【００３８】
上述のようにしてイエロートナー像が一次転写された中間転写ベルト７は、次のマゼンタ画像形成ユニット１Ｍへと移動する。そして、マゼンタ画像形成ユニット１Ｍにおいても、前記と同様にして、感光ドラム２ｂ上に形成されたマゼンタトナー像が一次転写部において中間転写ベルト７上にイエロートナー像に重ねて転写される。
【００３９】
以下同様にして、中間転写ベルト７上に重畳転写されたイエロー及びマゼンタトナー像の上に、シアン及びブラック画像形成ユニット１Ｃ，１Ｂｋの各感光ドラム２ｃ，２ｄ上にそれぞれ形成されたシアン及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００４０】
そして、中間転写ベルト７上のフルカラートナー像の先端が二次転写対向ローラ１１と二次転写ローラ１２間の二次転写部に達するタイミングに合わせて、不図示の給紙カセットから搬送パスＬ１へと送り出された用紙がレジストローラ２６によって二次転写部へと搬送される。そして、二次転写部において、中間転写ベルト７上のフルカラートナー像が二次転写ローラ１２の作用によって用紙に一括して二次転写される。尚、用紙上に転写されないで中間転写ベルト７上に残留する転写残トナーは、ベルトクリーニング装置１７によって除去され、中間転写ベルト７は次の画像形成に備えられる。
【００４１】
以上のようにしてフルカラートナー像が転写された用紙は、定着装置２０へと搬送され、この定着装置２０においてフルカラートナー像が加熱及び加圧されて用紙の表面に熱定着される。そして、トナー像が定着された用紙は、搬送ローラ２７によって搬送パスＬ２に沿って搬送され、排紙ローラ２８によって装置本体外の不図示の排紙トレイへと排出される。
【００４２】
他方、モノクロモードが選択された場合には、図２に示すように、ドラムユニット側に設けられた押圧部材１８が下動して転写ローラ５ａ〜５ｃの軸受１４を下方へ押圧するため、これらの転写ローラ５ａ〜５ｃがカラー感光ドラム２ａ〜２ｃから離間する。又、これと同時に可動ローラ１０が下方へ移動する。このため、中間転写ベルト７は、カラー感光ドラム２ａ〜２ｃから確実に離間する。従って、このモノクロモードにおいては、ブラック画像形成ユニット１Ｂｋにおいてのみ転写ローラ５ｄと中間転写ベルト７が感光ドラム２ｄに当接している。
【００４３】
而して、モノクロモードにおいてはブラック画像形成ユニット１Ｂｋのみが動作し、他のイエロー、マゼンタ及びシアン画像形成ユニット１Ｙ，１Ｍ，１Ｃは休止するため、前記と同様にブラック画像形成ユニット１Ｂｋにおいて感光ドラム２ｄ上に形成されたブラックトナー像は一次転写部において中間転写ベルト７上に一次転写され、中間転写ベルト７上に転写されたブラックトナー像は、適当なタイミングで二次転写部に供給された用紙上に二次転写される。そして、ブラックトナー像が転写された用紙は、定着装置２０へと搬送され、この定着装置２０においてブラックトナー像が加熱及び加圧されて用紙の表面に熱定着され、ブラックトナー像が定着された用紙は、排紙ローラ２８によって装置本体外の不図示の排紙トレイへと排出される。
【００４４】
以上のように、本実施の形態では、モノクロモード時に動作して転写ローラ５ａ〜５ｃと中間転写ベルト７をカラー感光ドラム２ａ〜２ｃから離間させる押圧部材１８で離間機構を構成し、この離間機構をドラムユニット側に設けたため、該離間機構と転写ユニットが簡素化される。
【００４５】
又、中間転写ベルト７の形状は、駆動ローラ８、固定ローラ９、可動ローラ１０、テンションローラ１１及び固定ローラ（二次転写対向ローラ）１２によって決定されるため、カラーモード時とモノクロモード時における中間転写ベルト７の形状変化が小さく抑えられ、テンションローラ１１の負荷が軽減されるとともに、モノクロモード時の中間転写ベルト７とカラー感光ドラム２ａ〜２ｃとの離間が確実になされる。
【００４６】
ところで、本実施の形態においては、モノクロモード時に転写ローラ５ａ〜５ｃと中間転写ベルト７が感光ドラム２ａ〜２ｃから離間しても、中間転写ベルト７は転写ローラ５ａ〜５ｃに接触して回転するために転写ローラ５ａ〜５ｃも回転する。このため、図４に示すように、押圧部材１８の先端にプーリ２９を回転可能に軸支し、このプーリ２９を転写ローラ５ａ（５ｂ，５ｃ）の軸部に押圧して該プーリ２９を回転させるようにしても良い。尚、プーリ２９に代えて低摩擦部材を用いても良い。
【００４７】
又、図５に示すように、押圧部材１８によって転写ローラ５ａ（５ｂ，５ｃ）を中間転写ベルト７から離間するまで押し下げれば、転写ローラ５ａ（５ｂ，５ｃ）の回転が停止するため、押圧部材１８を転写ローラ５ａ（５ｂ，５ｃ）の軸部にそのまま当接させて該転写ローラ５ａ（５ｂ，５ｃ）を押し下げることができる。
【００４８】
＜実施の形態２＞
次に、本発明の実施の形態２を図６及び図７に基づいて説明する。
【００４９】
図６は本発明の実施の形態２に係る転写ユニットのモノクロモード時の状態を示す模式図、図７は図６の部分拡大詳細図であり、これらの図においては図１〜図３に示したものと同一要素には同一符号を付しており、以下、それらについての再度の説明は省略する。
【００５０】
本実施の形態では、中間転写ベルト７は、駆動ローラ８と３つの固定ローラ９，３０，１２及びテンションローラ１１の間に張架されており、離間機構を構成する押圧部材１８の各先端部にはプーリ２９が回転可能に軸支されている。
【００５１】
而して、モノクロモード時においては、ドラムユニット側に設けられた押圧部材１８が下動し、その先端に軸支されてプーリ２９が転写ローラ５ａ〜５ｃの外周に当接して回転しながら中間転写ベルト７と共に転写ローラ５ａ〜５ｃを押し下げてこれらをカラー感光ドラム２ａ〜２ｃから離間させる。
【００５２】
従って、このモノクロモードにおいては、ブラック画像形成ユニット１Ｂｋにおいてのみ転写ローラ５ｄと中間転写ベルト７が感光ドラム２ｄに当接し、ブラック画像形成ユニット１Ｂｋのみが動作し、他のイエロー、マゼンタ及びシアン画像形成ユニット１Ｙ，１Ｍ，１Ｃは休止する。このため、ブラック画像形成ユニット１Ｂｋにおいて感光ドラム２ｄ上に形成されたブラックトナー像は一次転写部において中間転写ドベルト７上に一次転写され、以後は前記と同様にしてブラック画像が形成される。
【００５３】
而して、本実施の形態においても、モノクロモード時に動作して転写ローラ５ａ〜５ｃと中間転写ドベルト７をカラー感光ドラム２ａ〜２ｃから離間させる押圧部材１８で離間機構を構成し、この離間機構をドラムユニット側に設けたため、該離間機構と転写ユニットが簡素化される。
【００５４】
又、中間転写ベルト７の形状は、駆動ローラ８、３つの固定ローラ９，３０，１２、テンションローラ１１及び３つの押圧部材１８によって決定され、カラーモード時とモノクロモード時における中間転写ベルト７の形状変化が小さく抑えられるため、テンションローラ１１の負荷が軽減されるとともに、モノクロモード時の中間転写ベルト７とカラー感光ドラム２ａ〜２ｃとの離間が確実になされる。
【図面の簡単な説明】
【００５５】
【図１】本発明の実施の形態１に係る転写ユニットを備えた画像形成装置要部の断面図（カラーモード）である。
【図２】本発明の実施の形態１に係る転写ユニットを備えた画像形成装置要部の断面図(モノクロモード)である。
【図３】図２の部分拡大詳細図である。
【図４】本発明の実施の形態１に係る転写ユニットの変形例を示す部分断面図である。
【図５】本発明の実施の形態１に係る転写ユニットの変形例を示す部分断面図である。
【図６】本発明の実施の形態２に係る転写ユニットのモノクロモード時の状態を模式図である。
【図７】図６の部分拡大詳細図である。
【符号の説明】
【００５６】
１Ｙ        イエロー画像形成ユニット
１Ｍ        マゼンタ画像形成ユニット
１Ｃ        シアン画像形成ユニット
１Ｂｋ      ブラック画像形成ユニット
２ａ〜２ｄ  感光ドラム（像担持体）
３ａ〜３ｄ  一次帯電器
４ａ〜４ｄ  現像装置
５ａ〜５ｄ  転写ローラ
６ａ〜６ｄ  ドラムクリーニング装置
７          中間転写ベルト
８          駆動ローラ
９          固定ローラ
１０        可動ローラ
１１        テンションローラ
１２        固定ローラ（二次転写対向ローラ）
１３        二次転写ローラ
１４        軸受
１５，１６  バネ
１７        ベルトクリーニング装置
１８        押圧部材
１９        搬送ベルト
２０        定着装置
２１        加熱ローラ
２２        定着ローラ
２３        定着ベルト
２４        加圧ローラ
２５        給紙ローラ
２６        レジストローラ
２７        搬送ローラ
２８        排紙ローラ
２９        プーリ
３０        固定ローラ
Ｌ１，Ｌ２  搬送パス
【図１】
2008249925.tif 000003
【図２】
2008249925.tif 000004
【図３】
2008249925.tif 000005
【図４】
2008249925.tif 000006
【図５】
2008249925.tif 000007
【図６】
2008249925.tif 000008
【図７】
2008249925.tif 000009